(57)【要約】【課題】ディスクに照射されるレーザ光と光検出器に導かれるレーザ光の光量比を高く維持しながら、コストの低減および構成の簡素化を円滑に図り得る光ピックアップ装置を提供する。【解決手段】第１および第２の対物レンズ１８、２４と光検出器２８にレーザ光を導く手段として、偏光ビームスプリッタ１３と、第１および第２の１／４波長板１７、２３を用いる。偏光ビームスプリッタ１３に入射されたレーザ光のうち、半分はＳ偏光成分として偏光ビームスプリッタ１３にて反射されて第１の対物レンズ１８に導かれ、残り半分はＰ偏光成分として偏光ビームスプリッタ１３を透過し第２の対物レンズ２４に導かれる。第１および第２の対物レンズを経由したディスクからの反射光は、再度、第１および第２の１／４波長板１７、２３を透過することにより、略全光量が偏光ビームスプリッタ１３を透過する。【選択図】図１
2009110592.tif 000002
【特許請求の範囲】
【請求項１】
所定波長のレーザ光を出射するレーザ光源と、
前記レーザ光を記録媒体上に収束させる第１および第２の対物レンズと、
前記レーザ光源からのレーザ光を前記第１および第２の対物レンズに振り分ける偏光ビームスプリッタと、
前記偏光ビームスプリッタと前記第１および第２の対物レンズの間の光路にそれぞれ配された第１および第２の１／４波長板と、
前記記録媒体によって反射され前記偏光ビームスプリッタを経由した前記レーザ光を受光する光検出器を備え、
前記レーザ光源から出射された前記レーザ光が前記偏光ビームスプリッタの偏光軸に対し所定の角度だけ傾斜した直線偏光にて入射する、
ことを特徴とする光ピックアップ装置。
【請求項２】
請求項１において、
前記レーザ光源から出射された前記レーザ光が前記偏光ビームスプリッタの偏光軸に対し前記所定の角度だけ傾斜した直線偏光にて入射するよう、レーザ光軸を軸とする前記レーザ光源の回転位置が調整されている、
ことを特徴とする光ピックアップ装置。
【請求項３】
請求項１において、
前記レーザ光源と前記偏光ビームスプリッタの間の光路に、前記レーザ光を前記偏光ビームスプリッタの偏光軸に対し前記所定の角度だけ傾斜した直線偏光にて入射させるための１／２波長板が配されている、
ことを特徴とする光ピックアップ装置。
【請求項４】
請求項３において、
前記レーザ光源から出射されるレーザ光を３ビームに分割するための回折格子と前記１／２波長板が一体化されている、
ことを特徴とする光ピックアップ装置。
【発明の詳細な説明】
【技術分野】
【０００１】
本発明は、光ピックアップ装置に関し、特に、複数の対物レンズにて異種のディスクにレーザ光を照射する際に用いて好適なものである。
【背景技術】
【０００２】
ディスクの多様化に伴い、異種のディスクにレーザ光を照射する互換型の光ピックアップ装置が開発されている。かかる光ピックアップ装置のうち、ブルーレイディスク（以下、「ＢＤ」という）とＨＤ ＤＶＤ（High-Definition Digital Versatile Disc、以下、「ＨＤ」という）に対応する光ピックアップ装置では、これらディスクのカバー厚および対物レンズのＮＡ（開口数）が相違するため、各ディスクに対応する２つの対物レンズが搭載されている。この場合、使用レーザ光の波長帯が同じであるため、コストないし構成の簡素化の面からは、一つの半導体レーザを光源として共用するのが望ましい。
【０００３】
以下の特許文献１には、一つの光源から出射されたレーザ光を２つの対物レンズに振り分けるタイプの光ピックアップ装置が記載されている。ここでは、レーザ光を２つの対物レンズに振り分けるために、液晶セルと偏光ビームスプリッタが用いられている。すなわち、液晶セルによって、レーザ光の偏光方向が偏光ビームスプリッタに対しＰ偏光とＳ偏光の何れかに変化される。Ｐ偏光となった場合、レーザ光は偏光ビームスプリッタを透過して第１の対物レンズに導かれ、Ｓ偏光となった場合、レーザ光は偏光ビームスプリッタによって反射されてレーザ光が第１の対物レンズに導かれる。この他、１／２波長板を偏光ビームスプリッタの前段に配置し、これを光路中に挿脱することにより、レーザ光を２つの対物レンズに振り分ける構成も知られている。
【０００４】
しかし、これらの先行技術のうち、液晶セルを用いるものでは、液晶セルのコストによって光ピックアップ装置のコストが上昇し、また、液晶セルの駆動手段が必要となる分だけ、光ピックアップ装置の構成および制御が複雑化するとの問題が生じる。また、１／２波長板を挿脱させるものにおいても、１／２波長板を駆動する構成が必要となり、その分、光ピックアップ装置の構成および制御が複雑化するとの問題が生じる。
【０００５】
互換型の光ピックアップ装置を記録用に用いる場合には、ディスク照射時のレーザ光強度を確保するために、半導体レーザからのレーザ光を対応する対物レンズに振り分ける必要があるが、再生用に用いる場合には、ディスク照射時のレーザ光強度が再生可能な程度のもので足りるため、レーザ光を各対物レンズに振り分けずに、両方の対物レンズに同時に照射する構成とすることもできる。しかし、この場合も、再生信号やフォーカスエラー信号およびトラッキングエラー信号におけるＳ／Ｎを確保する観点から、ディスクに照射されるレーザ光と光検出器に導かれるレーザ光の光量比を一定値以上に維持する必要がある。
【０００６】
図７は、１つの対物レンズを搭載する光ピックアップ装置の構成例を示す図である。半導体レーザ３１から出射されたレーザ光は、回折格子３２によって３ビームとされた後、無偏光ミラー３３で分光され、９０％がコリメータレンズ３４側に反射される。その後、レーザ光は、コリメータレンズ３４にて平行光とされ、さらに、反射ミラー３５で反射されて対物レンズ３６に入射し、ディスク上に集光される。ディスクによって反射されたレーザ光は、反射ミラー３５にて反射され、コリメータレンズ３４により収束光とされる。その後、無偏光ミラー３３で分光され、半導体レーザ３１出射時の光量の９％のレーザ光が光検出器３７に集光される。
【０００７】
この構成例では、ディスクに照射されるレーザ光と光検出器３７に導かれるレーザ光の光量比は、１０：１である（ただし、各光学部品、ディスクの透過率／反射率は含まれていない）。
【０００８】
図８は、２つの対物レンズを搭載する光ピックアップ装置の構成例を示す図である。この構成例では、レーザ光を２つの対物レンズ４２、４４に分光する手段として、ハーフミラープリズム４１が使用されている。半導体レーザ３１から出射されたレーザ光は、回折格子３２によって３ビームとされた後、無偏光ミラー３３で分光され、９０％がコリメータレンズ３４側に反射される。その後、レーザ光は、コリメータレンズ３４にて平行光とされ、さらに、ハーフミラープリズム４１で半分が反射され、第１の対物レンズ４２を介して、ディスク上に集光される。一方、ハーフミラープリズムを透過したレーザ光は、反射ミラー４３で反射され、第２の対物レンズ４４を介して、ディスク上に集光される。この場合、第１および第２の対物レンズ４２、４４を介してディスクに照射されるレーザ光の光量は、半導体レーザ３１から出射された際のレーザ光の光量の４５％である。
【０００９】
ディスクにより反射されたレーザ光は、反射ミラー４３およびハーフミラープリズム４１にて反射される。このとき、レーザ光は、ハーフミラープリズム４１によって光量が半分に減少する。その後、コリメータレンズ３４により収束光とされ、さらに、無偏光ミラー３３で分光される。その結果、光検出器３７には、半導体レーザ３１出射時の光量の２．２５％のレーザ光が集光される。
【００１０】
この構成例では、ディスクに照射されるレーザ光と光検出器３７に導かれるレーザ光の光量比は、２０：１となる（ただし、各光学部品、ディスクの透過率／反射率は含まれていない）。
【００１１】
このように、２つの対物レンズへの分光手段としてハーフミラープリズム４１を用いると、往路と復路でそれぞれ５０％が減光されるため、ディスクに照射されるレーザ光と光検出器３７に導かれるレーザ光の光量比が従来の半分（２０：１）に低下してしまう。このため、光検出器３７から出力される信号のＳ／Ｎを再生に十分なものとすることができない。
【特許文献１】特開平１１−１２０６０６号公報
【発明の開示】
【発明が解決しようとする課題】
【００１２】
本発明は、上記問題を解消するためになされたものであり、ディスクに照射されるレーザ光と光検出器に導かれるレーザ光の光量比を高く維持しながら、コストの低減および構成の簡素化を円滑に図り得る光ピックアップ装置を提供することを目的とする。
【課題を解決するための手段】
【００１３】
請求項１の発明に係る光ピックアップ装置は、所定波長のレーザ光を出射するレーザ光源と、前記レーザ光を記録媒体上に収束させる第１および第２の対物レンズと、前記レーザ光源からのレーザ光を前記第１および第２の対物レンズに振り分ける偏光ビームスプリッタと、前記偏光ビームスプリッタと前記第１および第２の対物レンズの間の光路にそれぞれ配された第１および第２の１／４波長板と、前記記録媒体によって反射され前記偏光ビームスプリッタを経由した前記レーザ光を受光する光検出器を備え、前記レーザ光源から出射された前記レーザ光が前記偏光ビームスプリッタの偏光軸に対し所定の角度だけ傾斜した直線偏光にて入射することを特徴とする。
【００１４】
請求項１の発明によれば、第１および第２の対物レンズと光検出器にレーザ光を導くための手段として偏光ビームスプリッタと安価な１／４波長板が用いられるため、光ピックアップ装置のコストを抑制することができる。また、上記従来技術の如く、液晶セルを駆動し、あるいは、１／２波長板を挿脱するための構成が不要であるから、構成ないし制御の複雑化を抑制することができる。さらに、本発明によれば、第１および第２の対物レンズを経由したディスクからの反射光の略全光量が偏光ビームスプリッタを通過するため、光検出器に導かれるレーザ光の光量を高めることができ、光検出器から出力される信号のＳ／Ｎを適正レベルのものとすることができる。
【００１５】
請求項２に係る発明は、請求項１に記載の光ピックアップ装置において、前記レーザ光源から出射された前記レーザ光が前記偏光ビームスプリッタの偏光軸に対し前記所定の角度だけ傾斜した直線偏光にて入射するよう、レーザ光軸を軸とする前記レーザ光源の回転位置が調整されていることを特徴とする。
【００１６】
請求項２の発明によれば、偏光ビームスプリッタに対するレーザ光の偏光方向を半導体レーザの配置によって調整できるため、別途偏光方向を調整するための部材を配する必要がなく、構成の簡素化とコストの低減を図ることができる。
【００１７】
請求項３に係る発明は、請求項１に記載の光ピックアップ装置において、前記レーザ光源と前記偏光ビームスプリッタの間の光路に、前記レーザ光を前記偏光ビームスプリッタの偏光軸に対し前記所定の角度だけ傾斜した直線偏光にて入射させるための１／２波長板が配されていることを特徴とする。
【００１８】
請求項４に係る発明は、請求項３に記載の光ピックアップ装置において、前記レーザ光源から出射されるレーザ光を３ビームに分割するための回折格子と前記１／２波長板が一体化されていることを特徴とする。
【００１９】
請求項４の発明によれば、偏光ビームスプリッタの偏光軸に対するレーザ光の偏光方向が適正となるように１／２波長板を配置すると、同時に、記録媒体上のトラックに対する３ビームの状態が適正となるように、１／２波長板に一体化された回折格子の配置位置が適正化される。よって、別途、回折格子の配置を調整する必要がなく、作業性の向上を図ることができる。
【発明の効果】
【００２０】
以上の如く本発明によれば、ディスクに照射されるレーザ光と光検出器に導かれるレーザ光の光量比を高く維持しながら、コストの低減および構成の簡素化を円滑に図り得る光ピックアップ装置を提供することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２２】
以下、本発明の実施の形態につき図面を参照して説明する。本実施の形態は、ＢＤとＨＤに対応可能な光ピックアップ装置に本発明を適用したものである。
【００２３】
図１に、実施の形態に係る光ピックアップ装置の構成（光学系）を示す。同図（ａ）は半導体レーザ１１から立ち上げミラー１６、２２までの光学系の平面図、同図（ｂ）は立ち上げミラー１６、２２以降の光学系の側面図である。なお、同図（ｂ）では、便宜上、レンズホルダ２５の部分が断面図として示されている。
【００２４】
同図において、１１は、波長４０５ｎｍ程度の青色レーザ光を出射する半導体レーザ（レーザ光源）、１２は、半導体レーザ１１からのレーザ光を３ビームに分割する回折格子、１３は、偏光ビームスプリッタである。半導体レーザ１１は、偏光ビームスプリッタ１３に入射する際のレーザ光の偏光方向が偏光軸に対して４５度傾くように、レーザ光軸を軸とする回転位置が調整されている。したがって、偏光ビームスプリッタ１３に入射したレーザ光は、その５０％（Ｐ偏光）が偏光ビームスプリッタ１３を透過し、残り５０％（Ｓ偏光）が偏光ビームスプリッタ１３によって反射される。
【００２５】
１４は、偏光ビームスプリッタ１３によって反射されたレーザ光（Ｓ偏光）を平行光に変換するコリメータレンズ、１５は反射ミラー、１６は、反射ミラー１５によって反射されたレーザ光を第１の対物レンズ１８に向かう方向へと反射する立ち上げミラーである。
【００２６】
１７は、立ち上げミラー１６によって反射されたレーザ光を円偏光に変換する第１の１／４波長板、１８は、第１の１／４波長板１７を透過したレーザ光をＢＤ上に収束させる第１の対物レンズである。
【００２７】
１９は、偏光ビームスプリッタ１６を透過したレーザ光（Ｐ偏光）を反射する反射ミラー、２０は、反射ミラー１９によって反射されたレーザ光を平行光に変換するコリメータレンズ、２１は反射ミラー、２２は、反射ミラー２１によって反射されたレーザ光を第２の対物レンズ２４に向かう方向へと反射する立ち上げミラーである。
【００２８】
２３は、立ち上げミラー２２によって反射されたレーザ光を円偏光に変換する第２の１／４波長板、２４は、第２の１／４波長板２３を透過したレーザ光をＨＤ上に収束させる第２の対物レンズである。
【００２９】
２５は、第１の対物レンズ１８、第２の１／４波長板２３および第２の対物レンズ２４を保持するレンズホルダ、２６は、第１の対物レンズ１８、第２の１／４波長板２３および第２の対物レンズ２４をレンズホルダ２５と一体的に駆動するためのコイル（周知の対物レンズアクチュエータの一部）である。
【００３０】
２７は、偏光ビームスプリッタ１３から光検出器２８に向かうレーザ光に非点収差を導入する検出レンズ、２８はＨＤ、ＢＤからの反射光を受光して各種信号を生成するための光検出器である。本実施の形態では、非点収差法によりフォーカスエラー信号が生成される。光検出器２８には、後述の如く、非点収差法に基づく４分割センサが配されている。
【００３１】
ここで、第１の対物レンズ１８と第２の対物レンズ２４は、それぞれ、ＢＤおよびＨＤ上にレーザ光を適正に収束できるよう設計されている。また、これら第１および第２の対物レンズ１８、２４は、対物レンズアクチュエータ（同図ではコイル２６のみが図示されている）によって、フォーカスおよびトラッキング方向に一体的に駆動される。
【００３２】
なお、本実施の形態では、第１の対物レンズ１８はガラスからなっており、プラスチックからなる第２の対物レンズ２４よりも高重量となっている。かかる重量上のアンバランスを補償するために、本実施の形態では、第１の１／４波長板１７と第２の１／４波長板２３のうち第２の１／４波長板２３のみがレンズホルダ２５に装着され、第１の１／４波長板１７は、同図（ａ）の光学部品が装着されるベース側に配置されている。
【００３３】
半導体レーザ１１から出射されたレーザ光は、回折格子１２によって３ビームとされた後、偏光ビームスプリッタ１３によって５０％の光量成分（以下、「第１のレーザ光」という）がコリメータレンズ１４側に反射される。その後、この第１のレーザ光は、コリメータレンズ１４にて平行光とされ、さらに、反射ミラー１５と立ち上げミラー１６にて反射された後、第１の１／４波長板１７によって円偏光に変換されて第１の対物レンズ１８に入射する。
【００３４】
ディスク（ＢＤ）によって反射された第１のレーザ光は、ディスクへと向かう際の光路を逆行して、偏光ビームスプリッタ１３に入射する。このとき、第１のレーザ光は、再び第１の１／４波長板１７を透過することにより、偏光ビームスプリッタ１３に対してＰ偏光となっているため、偏光ビームスプリッタ１３をそのまま透過する。しかる後、第１のレーザ光は、検出レンズ２７により非点収差が導入され、光検出器２８へと収束される。
【００３５】
一方、半導体レーザ１１から、回折格子１２を介して、偏光ビームスプリッタ１３に入射したレーザ光は、その５０％の光量成分（以下、「第２のレーザ光」という）が偏光ビームスプリッタ１３を透過して反射ミラー１９へと入射する。反射ミラー１９にて反射された第２のレーザ光は、コリメータレンズ２０にて平行光とされ、さらに、反射ミラー２１と立ち上げミラー２２にて反射された後、第２の１／４波長板２３によって円偏光に変換されて第２の対物レンズ２４に入射する。
【００３６】
ディスク（ＨＤ）によって反射された第２のレーザ光は、ディスクへと向かう際の光路を逆行して、偏光ビームスプリッタ１３に入射する。このとき、第２のレーザ光は、再び第２の１／４波長板２３を透過することにより、偏光ビームスプリッタ１３に対してＳ偏光となっているため、偏光ビームスプリッタ１３によって反射される。しかる後、第２のレーザ光は、検出レンズ２７により非点収差が導入され、光検出器２８へと収束される。
【００３７】
本実施の形態では、ディスクに照射されるレーザ光と光検出器２８に導かれる第１および第２のレーザ光の光量比は、１：１となる（ただし、各光学部品、ディスクの透過率／反射率は含まれていない）。また、ディスクと光検出器２８には、半導体レーザ１１から出射されたレーザ光の略５０％の光量が導かれる。よって、光検出器２８から出力される信号のＳ／Ｎを再生に十分なものとすることができる。
【００３８】
なお、本実施の形態では、第１および第２の対物レンズ１８、２４を経由したレーザ光が同時にディスクに照射されるが、ＢＤとＨＤのカバー厚および２つの対物レンズの焦点距離の相違から、たとえば第１のレーザ光を用いてＢＤを再生している際には第２のレーザ光はＢＤ上に適正に収束されず、また、第２のレーザ光を用いてＨＤを再生している際には第１のレーザ光はＨＤ上に適正に収束されないため、共通のセンサーパターン（光検出器２８）で第１および第２のレーザ光を受光しても再生信号等に問題が生じることはない。
【００３９】
すなわち、図２（ａ）に示す如く、第１のレーザ光を用いてＢＤを再生している際には、ＢＤによって反射された第２のレーザ光（フレア光）は、光検出器２８上において収束せず、また、図２（ｂ）に示す如く、第２のレーザ光を用いてＨＤを再生している際には、ＨＤによって反射された第１のレーザ光（フレア光）は、光検出器２８上において収束しない。この場合、光検出器２８から出力される信号にフレア光によるＤＣ成分が重畳されるが、このＤＣ成分は、適宜、再生回路側においてキャンセルされる。
【００４０】
また、対象ディスクに対するフォーカス引き込み時も、図３に模式的に示す如く、第１および第２のレーザ光のうち再生に用いない方のレーザ光によっては適正にＳ字カーブが生じないため、このＳ字カーブに基づいてフォーカス引き込みがなされる惧れはない。なお、図３中、ＦＥｓｈは、引き込み対象のＳ字カーブを識別するために設定された閾値レベルである。
【００４１】
なお、本実施の形態では、ＢＤとＨＤのトラックピッチが相違するため、回折格子１２の回折パターンには、インライン方式の回折パターンが適用される。これにより、再生対象ディスクがＢＤ、ＨＤの何れであるかに拘わらず共通の受光面にて各ディスクからの反射光を受光できる。なお、インライン方式によるＤＰＰ法は従来周知であるため、ここでは説明を省略する。
【００４２】
図４は、ＤＰＰ法を用いる場合の信号演算回路の構成を示す。図示の如く、信号演算回路は、加算回路１０１〜１０４と、減算回路１０５〜１０７と、加算回路１１１〜１１６と、減算回路１１７、１１９と、定倍回路１１８から構成されている。なお、光検出器２８は、メインビーム受光用の４分割センサＡ〜Ｄと、サブビーム受光用の４分割センサＥ〜Ｈ、Ｉ〜Ｌからなっている。
【００４３】
４分割センサＡ〜Ｌから出力される信号をＡ〜Ｌとすると、トラッキングエラー信号（ＴＥ）は、ＴＥ＝（Ａ＋Ｂ）−（Ｃ＋Ｄ）−α{(Ｅ＋Ｉ＋Ｆ＋Ｊ)−（Ｇ＋Ｋ＋Ｈ＋Ｌ）}の演算より生成される。フォーカスエラー信号（ＦＥ）と再生信号（ＲＦ）は、それぞれ、ＦＥ＝（Ａ＋Ｃ）−（Ｂ＋Ｄ）、ＲＦ＝Ａ＋Ｂ＋Ｃ＋Ｄの演算により生成される。
【００４４】
なお、１ビームプッシュプル法にてトラッキングエラー信号を生成することもできる。この場合、４分割センサＥ〜Ｌは省略され、信号演算回路も、１ビームプッシュプル法に応じて変更される。
【００４５】
以上、本実施の形態によれば、第１および第２の対物レンズ１８、２４と光検出器２８にレーザ光を導くための手段として偏光ビームスプリッタ１３と安価な第１、第２の１／４波長板１７、２３が用いられるため、光ピックアップ装置のコストを抑制することができる。また、液晶セルを駆動するための構成や、１／２波長板を挿脱するための構成が不要であるから、構成ないし制御の複雑化を回避することができる。
【００４６】
さらに、本実施の形態によれば、ディスクによって反射された第１および第２のレーザ光の略全光量が偏光ビームスプリッタ１３を通過するため、光検出器２８に導かれるレーザ光の光量を高めることができ、上記の如く、ディスクに照射されるレーザ光と光検出器２８に導かれる第１および第２のレーザ光の光量比を、１：１とすることができる。よって、光検出器２８から出力される信号のＳ／Ｎを適正レベルのものとすることができる。
【００４７】
ところで、上記実施の形態では、レーザ光軸を軸とする半導体レーザ１１の回転位置を調整することにより、偏光ビームスプリッタ１３の偏光軸に対するレーザ光の偏光方向の傾き角が４５度となるように調整したが、半導体レーザ１１と偏光ビームスプリッタ１３の間に１／２波長板を配置することにより、偏光ビームスプリッタ１３の偏光軸に対するレーザ光の偏光方向の傾き角を調整するようにしても良い。
【００４８】
図５は、この場合の構成例を示す図である。この構成例では、半導体レーザ１１と偏光ビームスプリッタ１３の間に、１／２波長板２９ａと回折格子２９ｂとが一体化された光学素子２９が配置されている。ここで、光学素子２９は、偏光ビームスプリッタ１３の偏光軸に対するレーザ光の偏光方向の傾き角が４５度となるよう１／２波長板２９ａを位置づけると、回折格子２９ｂによる回折作用が、ＢＤおよびＨＤのトラック上に３つのビームを適正に位置づけるものとなるように構成されている。よって、光学系のアセンブル時には、別途、回折格子２９ｂの配置を調整する必要がなく、作業性の向上を図ることができる。
【００４９】
なお、本発明は、上記実施の形態に制限されるものではなく、また、本発明の実施形態も上記以外に種々の変更が可能である。
【００５０】
たとえば、上記実施の形態では、偏光ビームスプリッタ１３の偏光軸に対するレーザ光の偏光方向の傾き角を４５度として、偏光ビームスプリッタ１３にて分光された後の第１のレーザ光と第２のレーザ光の光量比を１：１としたが、偏光ビームスプリッタ１３の偏光軸に対するレーザ光の偏光方向の傾き角を適宜調整することにより、これ以外の光量比にて第１のレーザ光と第２のレーザ光を分光するようにすることもできる。
【００５１】
また、上記実施の形態では、第１の対物レンズ１８と第２の対物レンズ２４の重量上のアンバランスを補償するために、第２の１／４波長板２３はレンズホルダ２５に配置し、第１の１／４波長板１７はベース側に配置するようにしたが、たとえば、第１の対物レンズ１８の軽量化が図られ、これら２つの対物レンズ間の重量差が対物レンズの駆動特性に影響のない程度となる場合には、図６に示すように、第１の１／４波長板１７もレンズホルダ２５側に配置し、第１の１／４波長板１７、第１の対物レンズ１８、第２の１／４波長板２３および第２の対物レンズ２４をレンズホルダ２５と共に一体的に駆動するようにしても良い。
【００５２】
また、このように第１の１／４波長板１７と第２の１／４波長板２３を共にレンズホルダ２５に配する場合には、これらを一体としても良く、すなわち、第１および第２のレーザ光の光路に、共通の１／４波長板を配するようにしても良い。
【００５３】
この他、本発明の実施の形態は、特許請求の範囲に示された技術的思想の範囲内において、適宜、種々の変更が可能である。
【図面の簡単な説明】
【００５４】
【図１】実施の形態に係る光ピックアップ装置の構成（光学系）を示す図
【図２】実施の形態に係る光検出器に対するレーザ光の照射状態を示す図
【図３】実施の形態に係るフォーカスエラー信号の状態を示す図
【図４】実施の形態に係る信号演算回路の構成例を示す図
【図５】実施の形態に係る光ピックアップ装置の他の構成例を示す図
【図６】実施の形態に係る光ピックアップ装置のさらに他の構成例を示す図
【図７】本発明の課題を説明する図
【図８】本発明の課題を説明する図
【符号の説明】
【００５５】
１１  半導体レーザ
１３  偏光ビームスプリッタ
１７  第１の１／４波長板
１８  第１の対物レンズ
２３  第２の１／４波長板
２４  第２の対物レンズ
２９  光学素子
２９ａ  １／２波長板
２９ｂ  回折格子
【図１】
2009110592.tif 000003
【図２】
2009110592.tif 000004
【図３】
2009110592.tif 000005
【図４】
2009110592.tif 000006
【図５】
2009110592.tif 000007
【図６】
2009110592.tif 000008
【図７】
2009110592.tif 000009
【図８】
2009110592.tif 000010